(57)【要約】      （修正有）【課題】内面に比較的に大きなギャザーを形成することによって肌当たりが良好であって、かつ、外面に比較的に小さなギャザーが形成されて下着のような外観を有する使い捨て着用物品の提供。【解決手段】使い捨て着用物品１０の前後ウエスト域１３，１４のうちの少なくとも前ウエスト域１３は、非肌対向面側に位置する外層シート３３，３４と、肌対向面側に位置する内層シート３１，３２と、内外層シート３１−３４間において横方向Ｘへ延びる複数条のウエスト弾性体とを有する。内外層シート３１−３４は、それぞれ、内層シート３１，３２と外層シート３３，３４とを接合する縦方向Ｙ又は横方向Ｘへ間隔を空けて配置された複数の接合部を有し、内層シート３１，３２において隣り合う接合部間の内層シート３１，３２の長さが外層シート３３，３４において隣り合う接合部間の外層シート３３，３４の長さよりも大きくなっている。【選択図】図３
2018023481.tif 000002
【特許請求の範囲】
【請求項１】
縦方向及び横方向を有し、肌対向面及び非肌対向面と、前後ウエスト域と、前記前後ウエスト域間に位置するクロッチ域と、前記クロッチ域から前記前後ウエスト域へ延びる吸収体と、ウエスト開口及び一対のレッグ開口とを含む使い捨て着用物品において、
前記前後ウエスト域のうちの少なくとも前記前ウエスト域は、前記非肌対向面側に位置する外層シートと、前記肌対向面側に位置する内層シートと、前記内外層シート間において前記横方向へ延びる複数条のウエスト弾性体とを有し、
前記内外層シートは、それぞれ、前記内層シートと前記外層シートとを接合する、前記縦方向又は前記横方向へ間隔を空けて配置された複数の接合部を有し、
前記内層シートにおいて隣り合う前記接合部間の前記内層シートの長さが、前記外層シートにおいて隣り合う前記接合部間の前記外層シートの長さよりも大きいことを特徴とする着用物品。
【請求項２】
前記内層シートと前記外層シートとの前記接合部間には、前記縦方向へ延びるギャザーが形成されており、前記内層シートの前記接合部間に形成された前記ギャザーは、前記外層シートの前記接合部間に形成された前記ギャザーよりも大きい請求項１に記載の着用物品。
【請求項３】
前記内層シートと前記外層シートとの間には、中間シートが位置し、前記ウエスト弾性体は前記外層シートと前記中間シートとの間に介在されている請求項１又は２に記載の着用物品。
【請求項４】
前記吸収体の前記横方向の外側に位置する領域においてのみ、前記内層シートの前記接合部間の離間寸法が、前記外層シートの前記接合部間の離間寸法よりも大きくなっている請求項１〜３のいずれかに記載の着用物品。
【請求項５】
前記内層シートの前記吸収体の前記横方向の外側に位置する領域において、前記横方向の内側に位置する内側部分に形成されたギャザーが、前記横方向の外側に位置する外側部分に形成されたギャザーよりも大きい請求項１〜４のいずれかに記載の着用物品。
【請求項６】
前記内層シートにおいて、前記レッグ開口側に位置するギャザーが前記ウエスト開口側に位置するギャザーよりも大きい請求項２〜５のいずれかに記載の着用物品。
【請求項７】
前記中間シートは、親水性繊維を含む繊維不織布から形成される請求項３に記載の着用物品。
【発明の詳細な説明】
【技術分野】
【０００１】
本発明は、おむつ等の使い捨て着用物品に関する。
【背景技術】
【０００２】
特許文献１及び２には、肌対向面側に位置する内層シートと、非肌対向面側に位置する外層シートと、内外層シート間に介在されたウエスト弾性体とを含む使い捨て着用物品が開示されている。
【先行技術文献】
【特許文献】
【０００３】
【特許文献１】特開２００４−８９３４２号公報（Ｐ２００４−８９３４２Ａ）
【特許文献２】特開２０１３−１７２８６３号公報（Ｐ２０１３−１７２８６３Ａ）
【発明の概要】
【発明が解決しようとする課題】
【０００４】
特許文献１に開示された着用物品では、肌対向面側へ折り返されて内層シートに固定された外層シートの端部によって、前後ウエスト域のウエスト開口縁部に非接合領域が形成されている。特許文献１に開示の着用物品によれば、肌対向面側に非接合領域が位置することによって、肌当たりが良好となって、ウエスト弾性体の収縮作用によって肌に圧迫痕が付くのを抑制することができる。
【０００５】
特許文献２に開示された着用物品では、外層シートが内層シートに固定されていない非接合域を有し、非接合域においては外方へ凸となる縦方向へ延びる複数のギャザーが形成されている。特許文献２に開示の着用物品によれば、外層シートが外方へ凸なる複数のギャザーを有することによって、吸収した汗を効果的に外部に放出することによっておむつ内部の蒸れを抑制することができる。
【０００６】
しかし、特許文献１に開示の着用物品においては、内側へ折り返された外層シートの端部のみが内層シートに固定されていることから、肌対向面側において縦方向へ延びる複数のギャザーが形成されるものではなく、クロッチ域側へ延出すればするほど、折り返された外層シートと内層シートとの間でずれが生じて、おむつの漏れを誘発するおそれがある。
【０００７】
また、特許文献２に開示の着用物品においては、肌対向面側に大きなギャザーが形成されるものではないから、肌当たりが良好になることはなく、また、おむつの外面に凸状の大きなギャザーが形成されることによって、一見しておむつであることが容易に認識されてしまうおそれがある。
【０００８】
本発明は、従来の使い捨て着用物品の改良であって、内面に比較的に大きなギャザーを形成することによって肌当たりが良好であって、かつ、外面に比較的に小さなギャザーが形成されて下着のような外観を有する使い捨て着用物品の提供を課題にしている。
【課題を解決するための手段】
【０００９】
本発明は、縦方向及び横方向を有し、肌対向面及び非肌対向面と、前後ウエスト域と、前記前後ウエスト域間に位置するクロッチ域と、前記クロッチ域から前記前後ウエスト域へ延びる吸収体と、ウエスト開口及び一対のレッグ開口とを含む使い捨て着用物品に関する。
【００１０】
本発明に係る着用物品は、前記前後ウエスト域のうちの少なくとも前記前ウエスト域は、前記非肌対向面側に位置する外層シートと、前記肌対向面側に位置する内層シートと、前記内外層シート間において前記横方向へ延びる複数条のウエスト弾性体とを有し、前記内外層シートは、それぞれ、前記内層シートと前記外層シートとを接合する、前記縦方向又は前記横方向へ間隔を空けて配置された複数の接合部を有し、前記内層シートにおいて隣り合う前記接合部間の前記内層シートの長さが、前記外層シートにおいて隣り合う前記接合部間の前記外層シートの長さよりも大きいことを特徴とする。
【００１１】
前記内層シートと前記外層シートとの前記接合部間には、前記縦方向へ延びる複数のギャザーが形成されており、前記内層シートの前記接合部間に形成された前記ギャザーは、前記外層シートの前記接合部間に形成された前記ギャザーよりも大きいことから、おむつが下着のような柔らかな外観を有するとともに、内面における着用者の身体に対する肌当たりが良好となる。
【００１２】
前記内層シートと前記外層シートとの間には、中間シートが位置し、前記ウエスト弾性体は前記外層シートと前記中間シートとの間に介在されていることによって、ウエスト弾性体の収縮によって着用者の身体にゴム跡が付くのを抑制することができる。
【００１３】
前記吸収体の前記横方向の外側に位置する領域においてのみ、前記内層シートの前記接合部間の離間寸法が、前記外層シートの前記接合部間の離間寸法よりも大きくなっていることから、着用者の腹側において鼠蹊部と対向する部分に内面ギャザーを形成して股ずれを抑制することができるとともに、おむつの内面全体に内面ギャザーを形成する場合に比べてコストを抑制することができる。
【００１４】
前記内層シートの前記吸収体の前記横方向の外側に位置する領域において、前記横方向の内側に位置する内側部分に形成されたギャザーが、前記横方向の外側に位置する外側部分に形成されたギャザーよりも大きいことから、着用者の鼠径部により近い部分において、おむつの内面と身体との摩擦を低減して着用感を向上させることができる。
【００１５】
前記内層シートにおいて、前記レッグ開口側に位置するギャザーが前記ウエスト開口側に位置するギャザーよりも大きいことから、ウエスト開口側においては複数の小さいギャザーによって排泄物の漏れを防止し、レッグ開口側においては、鼠蹊部に対する摩擦を低減して着用感を向上させることができる。
【００１６】
前記中間シートは、親水性繊維を含む繊維不織布から形成されることから、おむつの吸汗性が向上するとともに、中間シートが直接に肌に当接しないことから、吸収した汗によって肌がべたつくことはない。
【００１７】
本発明は、従来の使い捨て着用物品の改良であって、内面に比較的に大きなギャザーを形成することによって肌当たりが良好であって、かつ、外面に比較的に小さなギャザーが形成されて下着のような外観を有する使い捨て着用物品の提供を課題にしている。
【発明の効果】
【００１８】
本発明に係る使い捨て着用物品によれば、内層シートにおいて隣り合う接合部間の内層シートの長さが、外層シートにおいて隣り合う接合部間の外層シートの長さよりも大きいことから、おむつの外面には、比較的に小さな外面ギャザーが複数形成されることによって下着らしい柔らかな外観を有するとともに、肌対向面には、比較的に大きな内面ギャザーが形成され、着用者の身体に対する肌当たりに優れる。
【図面の簡単な説明】
【００１９】
図面は、本発明の特定の実施の形態を示し、発明の不可欠な構成ばかりでなく、選択的及び好ましい実施の形態を含む。
【図１】本発明に係る使い捨て着用物品を正面から視た斜視図。
【図２】着用物品の背面側の一部を取り除き、背面側から前ウエスト域の肌対向面側（内面側）を視た斜視図。
【図３】内面側から視た、各弾性体の最大伸長時（弾性材料の収縮作用によるギャザーがなくなる程度）まで縦方向及び横方向に伸展した着用物品の一部破断展開平面図。
【図４】前ウエストパネルの分解斜視図。
【図５】図３のＶ−Ｖ線に沿う断面図。
【図６】図２のＶＩ−ＶＩ線に沿う断面図。
【図７】使い捨て着用物品の変形例の一例における、図６と同様の断面図。
【図８】使い捨て着用物品の変形例の他の一例における、図３と同様の展開図。
【図９】使い捨て着用物品のさらに他の変形例の一例における、図３と同様の展開図。
【発明を実施するための形態】
【００２０】
下記の実施の形態は、図１〜図９に示す使い捨て着用物品に関し、発明の不可欠な構成ばかりではなく、選択的及び好ましい構成を含む。
【００２１】
図１〜図３を参照すると、本発明の使い捨て着用物品の一例として示す使い捨てのおむつ１０は、肌対向面及びそれに対向する非肌対向面と、縦方向Ｙと横方向Ｘとを有し、ウエスト周り方向へ延びる環状の弾性ウエストパネル１１と、弾性ウエストパネル１１の内面と接合される吸収性パネル１２と、前ウエスト域（第１又は第２ウエスト域）１３と、後ウエスト域（第１又は第２ウエスト域）１４と、前後ウエスト域１３，１４間に位置するクロッチ域１５とを含む。おむつ１０は、さらに、横方向Ｘの寸法を二等分する縦中心線Ｐと縦方向Ｙの寸法を二等分する横中心線Ｑとを有する。弾性ウエストパネル１１は、前ウエスト域１３を形成する前ウエストパネル１６と、後ウエスト域１４を形成する後ウエストパネル１７とから構成される。
【００２２】
前後ウエスト域１３，１４は、説明の便宜上、ウエスト開口２４側に位置する上方部１３Ａ，１４Ａと、上方部１３Ａ,１４Ａの下方に位置する下方部１３Ｂ，１４Ｂとに区分されている。前後ウエスト域１３，１４の上方部１３Ａ，１４Ａは、吸収性パネル１２の前後端縁よりも縦方向Ｙの外側に位置する部分、下方部１３Ｂ，１４Ｂは吸収性パネル１２が配置された部分である。
【００２３】
前ウエストパネル１６は、横方向Ｘへ延びる内外端縁１６ａ，１６ｂと、内外端縁１６ａ，１６ｂ間において縦方向Ｙへ延びる両側縁１６ｃ，１６ｄとによって画定された横長矩形状を有する。後ウエストパネル１７は、横方向Ｘへ延びる内外端縁１７ａ，１７ｂと、内外端縁１７ａ，１７ｂ間において縦方向Ｙへ延びる両外側縁１７ｃ，１７ｄと、両側縁１７ｃ，１７ｄと内端縁１７ａとをつなぐ凹曲状の内側縁１７ｅ，１７ｆとによって画成された略台形状を有する。なお、前後ウエストパネル１６，１７の内外端縁１６ａ，１６ｂ，１７ａ，１７ｂと両側縁１６ｃ，１６ｄ及び外側縁１７ｃ，１７ｄとは、それぞれ、前後ウエスト域１３，１４の内外端縁と両側縁とに対応する。
【００２４】
前ウエストパネル１６の両側縁部（前ウエスト域１３の両側縁部）のそれぞれと後ウエストパネル１７の両側縁部（後ウエスト域１４の両側縁部）とは、互いに重ね合わされて、縦方向Ｙへ間欠的に位置するサイドシーム２３によって連結され、ウエスト開口２４及び一対のレッグ開口２５とが画成される。サイドシーム２３は、公知の接合手段、例えば、熱溶着加工、超音波溶着加工等の各種の熱溶着手段によってなされる。後ウエストパネル１７において、サイドシーム２３よりも横中心線Ｑ側へ延びる部分によって、着用者の臀部を覆う臀部カバーが形成される。
【００２５】
前後ウエストパネル１６，１７は、それぞれ、肌対向面側に位置する内層シート３１，３２と、非肌対向面側に位置する外層シート３３，３４と、内層シート３１，３２と外層シート３３，３４との間に介在された中間シート３５，３６とを有する。内層シート３１，３２、外層シート３３，３４及び中間シート３５，３６は、非弾性伸縮性の繊維不織布から形成されており、例えば、質量が５〜４０ｇ／ｍ２、繊維密度が０．０３〜０．１ｇ／ｃｍ３のスパンボンド繊維不織布、ＳＭＳ（スパンボンド・メルトブローン・スパンボンド）繊維不織布、エアスルー繊維不織布等のこの種の分野において通常用いられている各種公知の繊維不織布から形成することができる。
【００２６】
前後ウエストパネル１６，１７において、外層シート３３，３４は、内層シート３１，３２と中間シート３５，３６との外端縁から縦方向Ｙの外側へ延出する延出部分３３Ａ，３４Ａを有する。外層シート３３，３４は、内層シート３１，３２と中間シート３５，３６との外端縁に沿って横方向Ｘへ延びる折曲ラインを介して内方へ折り曲げられており、延出部分３３Ａ，３４Ａが内層シート３１，３２の肌対向面側に固定されている。したがって、内層シート３１，３２と中間シート３５，３６との外端縁は外層シート３３，３４によって被覆されており、前後ウエスト域１３，１４のウエスト開口縁部は、外層シート３３，３４の延出部分３３Ａ，３４Ａによって形成されている。
【００２７】
前後ウエスト域１３，１４のそれぞれにおいて、外層シート３３，３４と中間シート３５，３６との間には、横方向Ｘへ延びる複数条の前後ウエスト弾性体３７，３８が配置されている。前後ウエスト弾性体３７，３８には、例えば、繊度が約３００〜１２００ｄｔｅｘであって、約２．５〜３．５倍に伸長された状態で収縮可能に取り付けられたストリング状又はストランド状の弾性材料を用いることができる。前後ウエスト弾性体３７，３８の繊度、伸長倍率、各弾性体間の離間寸法（ピッチ）等の各種条件は必要に応じて適宜変更することが可能であるが、ウエスト開口縁側において着用者の身体に安定的に着用されるために、前後ウエスト弾性体３７，３８が配置されたウエスト弾性域のうちのウエスト開口側に位置する部分の伸長応力が比較的に高くなるように、弾性体の各種条件が調整されていることが好ましい。
【００２８】
図３及び図４を参照すると、前後ウエスト弾性体３７，３８のうちのレッグ開口２５側に位置する弾性体は、吸収体４２と重なる領域において、その一部が除去又は切断されている。吸収体４２と重なる領域において前後ウエスト弾性体３７，３８が配置されていないことによって、それらの収縮力によって吸収体４２に皺が形成されて吸収性能が低減するおそれはない。
【００２９】
図３を参照すると、吸収性パネル１２は、前ウエスト域１３に位置する前端部１２Ａと、後ウエスト域１４に位置する後端部１２Ｂと、前後端部１２Ａ，１２Ｂ間において縦方向Ｙへ延び、クロッチ域１５を画成する中間部１２Ｃとを有する。吸収性パネル１２は、肌対向面側から順に積層された、透液性を有する繊維不織布製の身体側ライナ４１と、吸液性の吸収体４２と、好ましくは通気性を有する、不透液性又は難透液性の防漏シート（防漏フィルム）４３と、吸収性パネル１２の非肌対向面全体を形成する不透液性の被覆シート４４とを有する。
【００３０】
吸収体４２は、フラッフ木材パルプと超吸収性ポリマー粒子（ＳＡＰ）等との混合物から形成された吸収性コア（芯材）と、芯材を包被するティッシュペーパ等の液拡散性のシートから形成されたコアカバーシート（図示せず）とを有する。
【００３１】
図３及び図５を参照すると、被覆シート４４は、防漏シート４３の両側縁の横方向Ｘの外側に位置する両側部４５を有する。両側部４５は、防漏シート４３の両側縁に隣接して縦方向Ｙへ延びる折曲ラインに沿って内方へ（吸収体４２側へ）折曲されて身体側ライナ４１に固定される。両側部４５は、身体側ライナ４１に固定されて縦方向Ｙへ互いに離間する両端固定部と、身体側ライナの両側縁部及び／又は防漏シート４３の両側縁部に固定される近位縁部と、両端固定部間において縦方向Ｙへ延び、かつ、近位縁部と並行して縦方向Ｙへ延びる遠位縁部（自由縁部）とを有する。
【００３２】
被覆シート４４の遠位縁部は、被覆シート４４の外側縁部を折り曲げて固定することによって形成された折曲部位を有し、該部位には縦方向Ｙへ延びる複数条の糸状、ストリング状又はストランド状のカフ弾性体４７が伸長状態で収縮可能に配設されている。カフ弾性体４７が収縮することによって、遠位縁部が身体側ライナ４１から離間して防漏カフを形成し、着用者の大腿部にフィットして排泄物の横漏れを防止する。また、両側部４５の防漏カフの横方向Ｘの外側には、縦方向へ延びる糸状、ストリング状又はストランド状のレッグ弾性体４８が伸長状態で収縮可能に配設されている。図３を参照すると、おむつ１０の展開された状態において、防漏カフは、横方向Ｘの外側へ倒伏されている。
【００３３】
図４，６を参照すると、前ウエスト域１３は、内層シート３１から形成された非弾性層５０Ａと、中間シート３５、前ウエスト弾性体３７及び外層シート３３によって構成された弾性層５０Ｂとを有する。内層シート３１と中間シート３５とは、ホットメルト接着剤を塗布してなる横方向Ｘへ延びる第１接合部５１を介して互いに接合されており、中間シート３５と外層シート３３は、前ウエスト弾性体３７の全周に塗布されたホットメルト接着剤からなる第２接合部５２を介して互いに接合されている。なお、以下において、主として、内外層シート３１，３３と中間シート３５とを含む前ウエスト域１３について説明するが、内外層シート３２，３４と中間シート３６とを含む後ウエスト域１４についても同様の構成を有することを理解されたい。
【００３４】
第１接合部５１は、前ウエスト域１３の両側縁１６ｃ，１６ｄ間において連続して横方向Ｘへ延びる接合ライン５１ａと、前ウエスト域１３の両側縁部に位置する接合ライン５１ｂとを有する。サイドシーム２３の位置する内層シート３１の両側縁部側に複数の接合ライン５１ａ，５１ｂが位置することによって、内層シート３１と中間シート３５との間から塵が入り込んだり、シートが破れたりするのを抑制することができる。
【００３５】
内層シート３１を固定する第１接合部５１の縦方向Ｙにおける離間寸法Ｒ１〜Ｒ３は、外層シート３３を固定する第２接合部５２の縦方向Ｙにおける離間寸法Ｒ４よりも大きくなっている。それによって、内層シート３１には、外層シート３３に比べて大きなギャザーが形成されている。具体的には、内層シート３１は、第１接合部５１が位置する溝部５３と、第１接合部５１間に位置する非接合部から形成された、弾性層５０Ａの収縮作用によって横方向の寸法が小さくなって内方へ（肌側へ）凸となる内面ギャザー（畝部）６０とを有する。外層シート３３の各離間寸法Ｒ４は、ほぼ同等であって、一部において他の部分と異なる大きさであってもよい。
【００３６】
一方、外層シート３３は、第２接合部５２が位置する溝部５５と、第２接合部５２間に位置する非接合部から形成された、前ウエスト弾性体３７とともに収縮して横方向Ｘの寸法が小さくなって外方へ凸なる外面ギャザー（畝部）７０とを有する。中間シート３５も外層シート３３と同様に、前ウエスト弾性体３７の収縮によって起伏した形状を有している。このように、おむつ１０の内面に形成された内面ギャザー６０が比較的に大きいことから、着用者の肌に対して高い柔軟性を有して肌当たりが向上する。また、おむつ１０の外面に形成された外面ギャザー７０が比較的に小さく、かつ、規則的な形状を有することから、おむつ１０は、その外観において下着らしい柔らかな外観を呈することができる。
【００３７】
ここで、内層シート３１は、弾性層５０Ｂ（又は中間シート３５）に対して第１接合部５１を介して収縮した状態で取り付けられていることによって、おむつ１０の収縮した状態において、内方へ凸となる内面ギャザー６０が形成されており、第１接合部５１による接合を解除して表面のギャザーが消失するまで縦方向Ｙ及び横方向Ｘへ（全方位的に）伸長した状態において、内層シート３１の縦方向Ｙの長さ寸法は、弾性層５０Ｂ（又は、外層シート３３のうちの延出部分３３Ａを除く部分）の縦方向Ｙの寸法よりも大きくなっている。
【００３８】
また、「内層シート３１の第１接合部５１間の離間寸法Ｒ１〜Ｒ３」とは、図６に示すように、第１接合部５１間に位置する、凸状を有する内面ギャザー６０の断面形状に沿う縦方向Ｙにおける長さ寸法を意味し、「外層シート３３の第２接合部５２間の離間寸法Ｒ４」とは、第２接合部５２間に位置する、凸状を有する外面ギャザー７０の断面形状に沿う縦方向Ｙにおける長さ寸法を意味する。したがって、各シート３１−３３を伸長した状態において、第１接合部５１間の直線的な離間寸法と第２接合部５２の直線的な離間寸法とがほぼ同じであっても、各シート３１−３３が収縮した状態において、内面ギャザー６０が外面ギャザー７０に比べて内方へ大きくカーブした凸状を有することによって、内層シート３１において隣り合う第１接合部５１間の内層シート３１の長さが、外層シート３３において隣り合う第２接合部５２間の外層シート３３のシートの長さよりも大きくなり、内層シート３１の第１接合部間の離間寸法Ｒ１〜Ｒ３は、外層シート３３の第２接合部５２の離間寸法Ｒ４よりも大きいといえる。
【００３９】
また、前ウエスト弾性体３７が内層シート３１と中間シート３５との間に介在されている場合には、前ウエスト弾性体３７が、その肌面側において、内層シート３１からなる単層シートにのみ被覆されていることから、その収縮力によって着用者の肌にゴム跡が付くおそれがある。本実施形態では、前ウエスト弾性体３７が中間シート３５と外層シート３３との間に介在されて配置されていることから、前ウエスト弾性体３７の肌側に中間シート３５と内層シート３１とからなる複層シートが位置し、肌にゴム跡が付くのを抑制することができる。
【００４０】
図６を参照すると、前ウエスト域１３の上方部１３Ａにおける第１接合部５１の離間寸法Ｒ１は、下方部１３Ｂにおける第１接合部５１の離間寸法Ｒ２，Ｒ３よりも小さくなっている。また、下方部１３Ｂにおいて、レッグ開口２５側の離間寸法Ｒ３がその上方に位置する離間寸法Ｒ２よりと同じであるかそれよりも小さくなっている。したがって、内面ギャザー６０において、上方部１３Ａに位置する第１ギャザー６１、下方部１３Ｂに位置する第２及び第３ギャザー６２，６３の大きさの相関関係は、第２ギャザー６２≧第３ギャザー６３＞第１ギャザー６１となっている。
【００４１】
内面ギャザー６０の大きさが、かかる相関関係を有することによって、比較的に大きな第２ギャザー６２によって着用者の腹部を優しく包み込むように被覆することができるとともに、鼠蹊部における摩擦を低減して股ずれを抑制することができる。一方、ウエスト開口２４及びレッグ開口２５側においては、比較的に小さくて細かい第１及び第３ギャザー６１，６３が位置することによって、大きな隙間が形成されることはなく、排泄物の漏れを効果的に防止することができる。
【００４２】
内面ギャザー６０は、おむつ１０の内面全体に形成されていてもよいが、前後ウエスト域１３，１４のうちの後ウエスト域１４に比べてゴム跡が付きやすい前ウエスト域１３において内面ギャザー６０が形成されていることが好ましい。さらにいえば、前ウエスト域１３において、吸収体４２の横方向Ｘの外側に位置する領域、すなわち、着用者の身体のうちで皮膚が薄くて最もゴム跡が付き易い鼠径部と対向する領域に内面ギャザー６０が形成されていることが好ましい。したがって、吸収体４２の横方向Ｘの外側に位置する領域においてのみ、内層シート３１の第１接合部５１間の離間寸法Ｒ１〜Ｒ３が、外層シート３３の第２接合部５２間の離間寸法Ｒ４よりも大きくなっていてもよい。
【００４３】
また、本実施形態においては、前ウエスト域１３の両側縁部に複数の接合ライン５１ｂが位置し、その横方向Ｘの内側に位置する部分には、両側縁１６ｃ，１６ｄ間において連続的に横方向Ｘへ延びる接合ライン５１ａのみが位置している。したがって、吸収体４２の横方向Ｘの外側に位置する領域において、横方向の内側に位置する内側部分（接合ライン５１ａ間の部分）に形成された内面ギャザー６０が、横方向Ｘの外側に位置する外側部分（接合ライン５１ｂ間の部分）に形成された内面ギャザー６０よりも大きくなっている。内側部分の内面ギャザー６０が比較的に大きいことによって、鼠蹊部に対する肌当たりが良好になって、着用感に優れる。
【００４４】
内層シート３１は、前ウエスト弾性体３７の収縮作用によって肌当たりの良い、ふんわりとした大きな内面ギャザー６０を形成するために、中間シート３５及び外層シート３３よりも肉薄で柔軟性に優れた繊維不織布から形成されていることが好ましい。また、中間シート３５は、親水性繊維を含む繊維不織布（例えば、質量５〜４０ｇ／ｍ２の親水性のＳＭＳ繊維不織布）から形成されていることが好ましい。かかる場合には、中間シート３５においておむつ１０内部で発生した汗を吸収することができるとともに、汗を吸収した中間シート３５が直接肌に触れることはないので、肌がべた付くのを避けることができる。
【００４５】
なお、中間シート３５，３６は、前後ウエスト域１３，１４の全域に配置されていなくてもよい。かかる場合には、内層シート３１，３２と外層シート３３，３４とが互いに接合されることによって、内外面ギャザー６０，７０が形成される。また、中間シート３５，３６は、前後ウエスト域１３，１４において、サイドシーム２３と重ならないように、サイドシーム２３よりも横方向Ｘの内側において横方向Ｘへ延びていてもよい。
【００４６】
＜変形例１＞
図７は、本発明に係るおむつ１０の変形例の一例における、図６と同様の断面図である。本変形例におけるおむつ１０は、本実施形態のおむつ１０と基本的構成が同様であるので、相違する点についてのみ以下に説明する。
【００４７】
本変形例のおむつ１０においては、前ウエスト域１３において、中間シート３５が配置されておらず、内層シート（非弾性層５０Ａ）３１が外層シート（弾性層５０Ｂ）３３に前ウエスト弾性体３７の全周に塗布されたホットメルト接着剤からなる接合部７９を介して接合されている。内層シート３１は、少なくとも縦方向Ｙへ収縮された状態で外層シート３３と互いに固定されており、接合部７９間に位置する内層シート３１の収縮量が外層シート３３の収縮量よりも多いことから、内層シート３１の内面ギャザー６０は、外層シート３３の外面ギャザー７０よりも大きくなっている。このように、中間シート３５が配置されていない場合であっても、内層シート３１の接合部７９間におけるシート長さ（収縮量）が、外層シート３３におけるシート長さ（収縮量）よりも大きいことによって、おむつ１０の内面において、外面に形成される外面ギャザー７０よりも大きな内面ギャザー６０が形成される。なお、図示していないが、本変形例のほかに、外層シート３３を弾性繊維不織布から形成して、ウエスト弾性体３７を配置せずに、内内外層シート３０，３３をホットメルト接着剤を塗布してなる接合部を介して直接互いに接合してもよい。
【００４８】
＜変形例２＞
図８は、本発明に係るおむつ１０の変形例の他の一例における、図３と同様のおむつ１０の展開図である。図８において、説明の便宜上、吸収性パネル１２は仮想線で示している。本変形例のおむつ１０は、本実施形態のおむつ１０と基本的構成が同様であるので、相違する点についてのみ以下に説明する。図示していないが、前後ウエスト域１３，１４において、第１接合部８１，８２の離間寸法は、中間シート３５，３６と外層シート３３，３４とを接合する第２接合部の離間寸法よりも大きくなっている。
【００４９】
本変形例においては、前ウエスト域１３において、少なくとも吸収性パネル１２の両側に位置する一対の前非接合域８５において、外面ギャザー７０よりも大きな内面ギャザー６０が形成されている。前ウエスト域１３において、内層シート３１は、前ウエスト域１３の内端縁１６ａ側にのみ配置されており、外端縁１６ｂ側には配置されていない。内層シート３１は、非接合域を囲むように配置された、横方向Ｘへ延びる複数条の第１接合部８１によって固定されている。第１接合部８１は、前ウエスト域１３の両側縁１６ｃ，１６ｄ間において連続して横方向Ｘへ延びる接合ライン８１ａと、前ウエスト域１３の両側縁部に位置する接合ライン８１ｂと、吸収性パネル１２と重なって位置する接合ライン８１ｃとを有する。
【００５０】
一方、後ウエスト域１４においては、内層シート３２が、後ウエスト域１４の外端縁１７ｂ側であって、吸収体４２の縦方向Ｙの外側にのみ配置されている。内層シート３２は、横方向Ｘへ延び、かつ、縦方向Ｙにおいて互いに離間する第１接合部８２によって固定されている。第１接合部８２間には、外面ギャザー７０に比べて大きな内面ギャザー６０が形成された後非接合域８６が位置する。前後ウエスト域１３，１４の前後非接合域８５，８６以外の領域においては、外面ギャザー７０と同等又はそれよりも小さなギャザーが形成されていてもよい。
【００５１】
前ウエスト域１３において、吸収性パネル１２と重なる部分に接合ライン８１ｃが位置することによって、着用中に吸収性パネル１２と接合された内層シート３１が吸収性パネル１２とともに移動するのを抑制することができる。また、内層シート３１，３２及び／又は中間シート３５，３６は、それらの両側縁部がサイドシーム２３まで延びていなくてもよい。
【００５２】
＜変形例３＞
図９は、本発明に係るおむつ１０のさらに他の変形例の一例における、図３と同様のおむつ１０の展開図である。図９において、説明の便宜上、吸収性パネル１２は仮想線で示している。本変形例のおむつ１０は、本実施形態のおむつ１０と基本的構成が同様であるので、相違する点についてのみ以下に説明する。図示していないが、本変形例において、第１接合部９１，９２の離間寸法は、中間シート３５，３６と外層シート３３，３４とを接合する第２接合部の離間寸法よりも大きくなっている。
【００５３】
本変形例に係るおむつ１０においては、内層シート３１，３２と中間シート３５，３６とを接合する第１接合部９１，９２が、縦方向Ｙへ延び、かつ、横方向Ｘにおいて互いに離間する複数の接合ラインから形成されている。第１接合部９１，９２がかかる接合態様を有することによって、おむつ１０の内面には、縦方向Ｙへ連続的に延びる内面ギャザー６０が形成される。内面ギャザー６０の内部には、ウエスト開口２４側の上開口からレッグ開口２５側の下開口まで連通する通気路が形成されることによって、おむつ１０内部の通気性を向上させることができる。なお、第１接合部９１，９２は、図示した態様のほかに、円形、楕円形、ダイヤ形、ハート形等の各種公知の形状を有する複数の接合部位から構成された、非連続的に縦方向へ延びる接合ラインから形成されていてもよい。かかる場合には、複数の接合部位が間隔を空けて配置されていることによって、外観において意匠性が向上するとともに、通気性に優れた印象を与えることができる。さらに、第１接合部９１，９２は、縦方向Ｙ又は横方向Ｘに連続的でも不連続的でもよいし、縦中心線Ｐ及び／又は横中心線Ｑに対して斜めに延びていてもよい。これらの変形例においても、内層シート３１，３２の接合部間のシート長さが、外層シート３３，３４の接合部間のシート長さよりも大きくなることによって、内面に比較的に大きなギャザーを形成して肌当たりが良好となり、かつ、外面に比較的に小さなギャザーが形成されて下着のような外観を有することができる。
【００５４】
使い捨て着用物品１０を構成する部材には、特に明記されていない限りにおいて、本明細書に記載されている材料のほかに、この種の分野において通常用いられている公知の材料を制限なく用いることができる。また、本明細書において使用されている「第１」、「第２」及び「第３」等の用語は、同様の要素、位置等を単に区別するために用いてある。
【符号の説明】
【００５５】
１０  使い捨て着用物品
１３  前ウエスト域
１４  後ウエスト域
１５  クロッチ域
２４  ウエスト開口
２５  レッグ開口
３１，３２  内層シート
３３，３４  外層シート
３５，３６  中間シート
３７  ウエスト弾性体（前ウエスト弾性体）
３８  ウエスト弾性体（後ウエスト弾性体）
４２  吸収体
５１  第１接合部
５２  第２接合部
６０  内面ギャザー
６１  第１ギャザー
６２  第２ギャザー
６３  第３ギャザー
７０  外面ギャザー
８１，８２  第１接合部
９１，９２  第１接合部
Ｒ１〜Ｒ３  内層シートの接合部間の離間寸法
Ｒ４  外層シートの接合部の離間寸法
Ｘ    横方向
Ｙ    縦方向
【図１】
2018023481.tif 000003
【図２】
2018023481.tif 000004
【図３】
2018023481.tif 000005
【図４】
2018023481.tif 000006
【図５】
2018023481.tif 000007
【図６】
2018023481.tif 000008
【図７】
2018023481.tif 000009
【図８】
2018023481.tif 000010
【図９】
2018023481.tif 000011